(57)【要約】【課題】異なる同期信号で生成される２種類以上の映像信号を切り替えて液晶ディスプレイパネルに表示する際に、映像として違和感の少ない切り替えを実現する。【解決手段】切り替えタイミング生成部１０３を設け、例えば第１の入力映像信号ＩＮ１から第２の入力映像信号ＩＮ２への切り替えを要求する切り替え指示信号ＣＨが与えられた場合、切り替え後の映像信号の第２の垂直同期信号Ｖ２に同期したタイミングで出力切り替え信号ＳＷを生成する一方、切り替え指示信号ＣＨが与えられてから出力切り替え信号ＳＷが生成されるまでの期間では、切り替え前の第１の水平同期信号Ｈ１に同期して生成されるゲートドライバコマンドをシフトレジスタクリアコマンドへ強制的に変更制御し、以て該当ラインから切り替え後の映像信号の垂直同期信号までの期間にわたって切り替わり直前の映像をフリーズさせることで、切り替え時点での不連続性を軽減させる。【選択図】図１
2011002721.tif 000002
【特許請求の範囲】
【請求項１】
液晶ディスプレイパネルを駆動するソースドライバ及びゲートドライバを制御するための液晶ディスプレイドライバ制御装置であって、
第１の映像データに係る第１の水平同期信号及び第１の垂直同期信号を元に、第１のゲートドライバコマンドを含む第１のドライバ制御信号を生成する第１のドライバ制御信号生成部と、
第２の映像データに係る第２の水平同期信号及び第２の垂直同期信号を元に、第２のゲートドライバコマンドを含む第２のドライバ制御信号を生成する第２のドライバ制御信号生成部と、
前記第１の映像データから前記第２の映像データへの切り替えを要求する切り替え指示信号を元に、前記第２の垂直同期信号のタイミングで出力切り替え信号を生成する切り替えタイミング生成部と、
前記出力切り替え信号を元に、前記第２の垂直同期信号のタイミングで、前記第１の映像データから前記第２の映像データへ切り替えて前記ソースドライバへ出力する信号選択処理部と、
前記出力切り替え信号を元に、前記第２の垂直同期信号のタイミングで、前記第１のドライバ制御信号から前記第２のドライバ制御信号へ切り替えて前記ソースドライバ及び前記ゲートドライバへ出力するドライバ制御信号選択部とを備え、
前記切り替えタイミング生成部は、前記切り替え指示信号が与えられてから前記出力切り替え信号が生成されるまでの期間では、前記第１の水平同期信号に同期して生成される前記第１のゲートドライバコマンドを強制的に変更制御する信号を前記第１のドライバ制御信号生成部へ供給することを特徴とする液晶ディスプレイドライバ制御装置。
【請求項２】
請求項１記載の液晶ディスプレイドライバ制御装置において、
第１の入力映像信号を受けて、前記第１の映像データと、前記第１の水平同期信号と、前記第１の垂直同期信号とを出力する第１の入力映像信号処理部と、
第２の入力映像信号を受けて、前記第２の映像データと、前記第２の水平同期信号と、前記第２の垂直同期信号とを出力する第２の入力映像信号処理部とを更に備えたことを特徴とする液晶ディスプレイドライバ制御装置。
【請求項３】
請求項１記載の液晶ディスプレイドライバ制御装置において、
フリーラン動作により、前記第１の映像データと、前記第１の水平同期信号と、前記第１の垂直同期信号とを出力する内部映像信号発生部と、
入力映像信号を受けて、前記第２の映像データと、前記第２の水平同期信号と、前記第２の垂直同期信号とを出力する入力映像信号処理部とを更に備えたことを特徴とする液晶ディスプレイドライバ制御装置。
【請求項４】
請求項１記載の液晶ディスプレイドライバ制御装置において、
前記切り替えタイミング生成部は、前記切り替え指示信号が与えられてから前記出力切り替え信号が生成されるまでの期間では、前記第１の水平同期信号に同期して生成される前記第１のゲートドライバコマンドを通常コマンドからシフトレジスタクリアコマンドへ強制的に変更制御する信号を前記第１のドライバ制御信号生成部へ供給することを特徴とする液晶ディスプレイドライバ制御装置。
【請求項５】
液晶ディスプレイパネルを駆動するソースドライバ及びゲートドライバを制御するための液晶ディスプレイドライバ制御方法であって、
第１の映像データに係る第１の水平同期信号及び第１の垂直同期信号を元に、第１のゲートドライバコマンドを含む第１のドライバ制御信号を生成する第１のドライバ制御信号生成ステップと、
第２の映像データに係る第２の水平同期信号及び第２の垂直同期信号を元に、第２のゲートドライバコマンドを含む第２のドライバ制御信号を生成する第２のドライバ制御信号生成ステップと、
前記第１の映像データから前記第２の映像データへの切り替えを要求する切り替え指示信号を元に、前記第２の垂直同期信号のタイミングで出力切り替え信号を生成する切り替えタイミング生成ステップと、
前記出力切り替え信号を元に、前記第２の垂直同期信号のタイミングで、前記第１の映像データから前記第２の映像データへ切り替えて前記ソースドライバへ出力する信号選択処理ステップと、
前記出力切り替え信号を元に、前記第２の垂直同期信号のタイミングで、前記第１のドライバ制御信号から前記第２のドライバ制御信号へ切り替えて前記ソースドライバ及び前記ゲートドライバへ出力するドライバ制御信号選択ステップとを備え、
前記切り替え指示信号が与えられてから前記出力切り替え信号が生成されるまでの期間では、前記第１の水平同期信号に同期して生成される前記第１のゲートドライバコマンドを通常コマンドからシフトレジスタクリアコマンドへ強制的に変更制御することを特徴とする液晶ディスプレイドライバ制御方法。
【発明の詳細な説明】
【技術分野】
【０００１】
本発明は、液晶ディスプレイパネルを駆動するソースドライバ、ゲートドライバといった液晶ディスプレイドライバの制御装置及びその制御方法に関するものであって、異なる同期信号で生成される２種類以上の映像信号を、切り替え後に表示する映像信号の同期信号を基準に切り替える際に、ゲートドライバに出力するゲートドライバコマンドの生成方法により、切り替わり時点の映像の見え方として違和感を軽減しようとするものである。
【背景技術】
【０００２】
ある従来技術によれば、１つの画面内に２つの異なる画像を表示するマルチビューディスプレイ装置にて並び替え部で選択された映像信号に対してマイコンで制御される時間だけ挿入部にて黒映像を挿入してＴＦＴ型液晶ディスプレイに出力することによって、２種類の映像信号の切り替え時の映像の乱れをなくすように制御する（特許文献１参照）。
【先行技術文献】
【特許文献】
【０００３】
【特許文献１】特開２００７−３６４５４号公報
【発明の概要】
【発明が解決しようとする課題】
【０００４】
しかしながら、前記従来の構成では、異なる同期信号で生成される２種類以上の映像信号を切り替えて液晶ディスプレイパネルに表示させる場合、切り替え時点で黒映像が挿入される構成であるために、切り替えに要する時間が長くなると黒映像が長時間にわたって表示され、映像の見え方として違和感があるという課題を有していた。
【０００５】
本発明は、前記従来の課題を解決するもので、異なる同期信号で生成される２種類以上の映像信号を切り替えて液晶ディスプレイパネルに表示する場合に、切り替わり時の映像の見え方として違和感の少ない液晶ディスプレイドライバ制御装置及びその制御方法を提供することを目的とする。
【課題を解決するための手段】
【０００６】
前記従来の課題を解決するために、本発明の液晶ディスプレイドライバ制御装置及びその制御方法は、異なる同期信号で生成される２種類以上の映像信号に対して、それぞれの映像信号の水平同期信号及び垂直同期信号を元に、ゲートドライバコマンドを含むドライバ制御信号を生成する一方、切り替え後に選択出力される映像信号に同期した垂直同期信号のタイミングに対して、切り替え前に選択出力される映像信号の水平同期信号として１つ以上前であって、かつ、外部から入力される切り替え指示信号のタイミングに対して、切り替え前に選択出力される映像信号の水平同期信号として１つ以上後の水平同期信号に同期して生成するゲートドライバコマンドを強制的に変更制御するように生成し、かつ切り替え後に選択出力される映像信号に同期した垂直同期信号のタイミングでそれぞれに映像データとそれぞれのゲートドライバコマンドを含むドライバ制御信号とを切り替え出力することとしたものである。
【０００７】
異なる同期信号で生成される２種類以上の映像信号を切り替えて液晶ディスプレイパネルに表示する場合に、切り替わり直前の期間において映像信号の水平同期信号に同期したゲートドライバコマンドを変更することにより、ゲートドライバコマンドを変更した該当ラインから切り替わり後の映像信号の垂直同期信号までの期間にわたって切り替わり直前の映像信号をフリーズさせ、１フレーム前の映像信号を表示することにより、切り替わり時点で１フレーム期間以下の映像信号のフリーズが発生するだけに抑えることができる。
【発明の効果】
【０００８】
本発明によれば、テレビ放送のチャンネル切り替えのような異なる同期信号で生成される２種類以上の映像信号を切り替えて液晶ディスプレイパネルに表示する場合に、切り替わり時点で黒映像を挿入することにより生じるブラックアウトや映像乱れが生じることなく、１フレーム期間以下の映像信号のフリーズ発生に抑えることができ、切り替わり時の映像の見え方として違和感の少ない視聴を楽しむことができる。特に、切り替え時点で表示されている映像信号が静止映像であれば、その効果が大きいものである。
【図面の簡単な説明】
【０００９】
【図１】本発明の実施の形態１における液晶ディスプレイドライバ制御装置のブロック図である。
【図２】図１中の各信号のタイミング図である。
【図３】本発明の実施の形態２における液晶ディスプレイドライバ制御装置のブロック図である。
【発明を実施するための形態】
【００１０】
以下、本発明の実施の形態について、図面を参照しながら説明する。
【００１１】
《実施の形態１》
図１は、本発明の実施の形態１における液晶ディスプレイドライバ制御装置及びその制御方法を示す。図１の液晶ディスプレイドライバ制御装置は、液晶ディスプレイパネル１１０を駆動するソースドライバ１０８及びゲートドライバ１０９といった液晶ディスプレイドライバを制御するための装置であって、第１の入力映像信号ＩＮ１を受けて、第１の水平同期信号Ｈ１及び第１の垂直同期信号Ｖ１を抽出して出力する一方、第１の映像データＰ１を出力する第１の入力映像信号処理部１０１と、第２の入力映像信号ＩＮ２を受けて、第２の水平同期信号Ｈ２及び第２の垂直同期信号Ｖ２を抽出して出力する一方、第２の映像データＰ２を出力する第２の入力映像信号処理部１０２と、切り替え指示信号ＣＨ、第１の垂直同期信号Ｖ１、第２の垂直同期信号Ｖ２を元に、ソースドライバ１０８及びゲートドライバ１０９といった液晶ディスプレイドライバへの映像データ及びドライバ制御信号といった出力の切り替え信号ＳＷを生成する一方、ドライバ制御信号の１つであるゲートドライバ１０９に対するコマンドを強制的に変更する第１のコマンド強制変更信号Ｃ１及び第２のコマンド強制変更信号Ｃ２を生成・出力する切り替えタイミング生成部１０３と、第１の水平同期信号Ｈ１、第１の垂直同期信号Ｖ１、第１のコマンド強制変更信号Ｃ１に従って液晶ディスプレイドライバへの第１のドライバ制御信号Ｄ１を生成する第１のドライバ制御信号生成部１０４と、第２の水平同期信号Ｈ２、第２の垂直同期信号Ｖ２、第２のコマンド強制変更信号Ｃ２に従って液晶ディスプレイドライバへの第２のドライバ制御信号Ｄ２を生成する第２のドライバ制御信号生成部１０５と、第１の映像データＰ１と第２の映像データＰ２とを切り替えタイミング生成部１０３から入力される出力切り替え信号ＳＷによって選択切り替えしてソースドライバ１０８への映像データＰを出力する信号選択処理部１０６と、第１のドライバ制御信号Ｄ１と第２のドライバ制御信号Ｄ２とを切り替えタイミング生成部１０３から入力される出力切り替え信号ＳＷによって選択切り替えしてソースドライバ１０８への制御信号ＳＤとゲートドライバ１０９への出力（ゲートドライバコマンドを含む）ＧＤとを出力するドライバ制御信号選択部１０７とで構成されている。
【００１２】
第１の入力映像信号ＩＮ１の選択状態から第２の入力映像信号ＩＮ２の選択状態に切り替える場合、切り替えタイミング生成部１０３は、第２の垂直同期信号Ｖ２に同期したタイミングで出力切り替え信号ＳＷを生成する一方、切り替え指示信号ＣＨの少なくとも次に発生する第１の水平同期信号Ｈ１に同期して第１のコマンド強制変更信号Ｃ１を有効にした後、第２の垂直同期信号Ｖ２に同期して第１のコマンド強制変更信号Ｃ１を無効にする。一方、第２の入力映像信号ＩＮ２の選択状態から第１の入力映像信号ＩＮ１の選択状態に切り替える場合、切り替えタイミング生成部１０３は、第１の垂直同期信号Ｖ１に同期したタイミングで出力切り替え信号ＳＷを生成する一方、切り替え指示信号ＣＨの少なくとも次に発生する第２の水平同期信号Ｈ２に同期して第２のコマンド強制変更信号Ｃ２を有効にした後、第１の垂直同期信号Ｖ１に同期して第２のコマンド強制変更信号Ｃ２を無効にする。
【００１３】
第１のドライバ制御信号生成部１０４は、第１の入力映像信号処理部１０１からの第１の水平同期信号Ｈ１及び第１の垂直同期信号Ｖ１と、切り替えタイミング生成部１０３からの第１のコマンド強制変更信号Ｃ１とから、ソースドライバ１０８及びゲートドライバ１０９を駆動するために必要な第１のドライバ制御信号Ｄ１を生成する。ここで、第１のコマンド強制変更信号Ｃ１が無効な状態では、フレーム先頭の第１の水平同期信号Ｈ１のタイミングでスタートコマンド（Ｓ）を、それ以外の第１の水平同期信号Ｈ１のタイミングでは通常コマンド（Ｎ）をそれぞれ生成し、第１のコマンド強制変更信号Ｃ１が有効となる場合には通常コマンド（Ｎ）に代えてシフトレジスタクリアコマンド（Ｃ）を生成する。
【００１４】
一方、第２のドライバ制御信号生成部１０５は、第２の入力映像信号処理部１０２からの第２の水平同期信号Ｈ２及び第２の垂直同期信号Ｖ２と、切り替えタイミング生成部１０３からの第２のコマンド強制変更信号Ｃ２とから、ソースドライバ１０８及びゲートドライバ１０９を駆動するために必要な第２のドライバ制御信号Ｄ２を生成する。ここで、第２のコマンド強制変更信号Ｃ２が無効な状態では、フレーム先頭の第２の水平同期信号Ｈ２のタイミングでスタートコマンド（Ｓ）を、それ以外の第２の水平同期信号Ｈ２のタイミングでは通常コマンド（Ｎ）をそれぞれ生成し、第２のコマンド強制変更信号Ｃ２が有効となる場合には通常コマンド（Ｎ）に代えてシフトレジスタクリアコマンド（Ｃ）を生成する。
【００１５】
以上のように構成された液晶ディスプレイドライバ制御装置及びその制御方法について、図２を参照しながら説明する。
【００１６】
まず、第１の入力映像信号ＩＮ１が第１の入力映像信号処理部１０１に、第２の入力映像信号ＩＮ２が第２の入力映像信号処理部１０２にそれぞれ入力される。これら２つの入力映像信号ＩＮ１，ＩＮ２は、例えばテレビ放送の異なるチャンネルの番組であり、それぞれは水平、垂直同期信号が非同期の関係にある。
【００１７】
第１の入力映像信号処理部１０１は、第１の入力映像信号ＩＮ１から第１の水平同期信号Ｈ１、第１の垂直同期信号Ｖ１、第１の映像データＰ１を抽出し、出力する。第２の入力映像信号処理部１０２は、第２の入力映像信号ＩＮ２から第２の水平同期信号Ｈ２、第２の垂直同期信号Ｖ２、第２の映像データＰ２を抽出し、出力する。図２において、時刻ｔ０では第１の垂直同期信号Ｖ１のパルスが第１の入力映像信号ＩＮ１のフレーム先頭を、時刻ｔ３では第２の垂直同期信号Ｖ２のパルスが第２の入力映像信号ＩＮ２のフレーム先頭をそれぞれ示している。
【００１８】
切り替えタイミング生成部１０３に入力される切り替え指示信号ＣＨが図２のように時刻ｔ１にてＬｏｗレベルからＨｉｇｈレベルへ立ち上がる信号である場合、第１の入力映像信号ＩＮ１の選択状態から第２の入力映像信号ＩＮ２の選択状態に切り替えることを示している。したがって、切り替えタイミング生成部１０３は、第２の垂直同期信号Ｖ２に同期したタイミングで出力切り替え信号ＳＷを生成する一方、切り替え指示信号ＣＨの少なくとも次に発生する第１の水平同期信号Ｈ１に同期して時刻ｔ２に第１のコマンド強制変更信号Ｃ１を有効にした後、第２の垂直同期信号Ｖ２に同期して時刻ｔ３に第１のコマンド強制変更信号Ｃ１を無効にする。図２の例では第１の入力映像信号ＩＮ１の選択状態から第２の入力映像信号ＩＮ２の選択状態に切り替えるため、第２のコマンド強制変更信号Ｃ２は有効にはならない。
【００１９】
時刻ｔ２から時刻ｔ３までの期間では、第１のコマンド強制変更信号Ｃ１が有効であるので、第１のドライバ制御信号生成部１０４は、通常コマンド（Ｎ）に代えてシフトレジスタクリアコマンド（Ｃ）を第１のドライバ制御信号Ｄ１の一部として生成する。
【００２０】
信号選択処理部１０６は、第１の入力映像信号処理部１０１からの第１の映像データＰ１と第２の入力映像信号処理部１０２からの第２の映像データＰ２とを、切り替えタイミング生成部１０３からの出力切り替え信号ＳＷで選択処理し、ソースドライバ１０８へ映像データＰを出力する。
【００２１】
ドライバ制御信号選択部１０７は、第１のドライバ制御信号生成部１０４からの第１のドライバ制御信号Ｄ１と第２のドライバ制御信号生成部１０５からの第２のドライバ制御信号Ｄ２とを、切り替えタイミング生成部１０３からの出力切り替え信号ＳＷで選択処理し、ソースドライバ１０８への制御信号ＳＤとゲートドライバ１０９への出力（ゲートドライバコマンドを含む）ＧＤとを出力する。
【００２２】
したがって、図２中の時刻ｔ１から時刻ｔ３までの期間では、ゲートドライバ１０９に対しては通常コマンドではなく、強制的に内部のシフトデータを消去するシフトレジスタクリアコマンドに変更して発行されるため、ゲートドライバ１０９の全出力はオフとなることで画面の途中からは表示画面の更新が行われなくなり、第２の入力映像信号ＩＮ２が表示されるまでは、第１の入力映像信号ＩＮ１の前フレームの映像が表示されることになる。
【００２３】
以上のようなゲートコマンドを強制的に変更する構成により、図２中の時刻ｔ１から時刻ｔ３までの期間で映像信号の不連続性を軽減させることができ、また、従来のような黒データを挿入する構成ではないため、切り替え前後で映像がブラックアウトして見えなくなるという問題も生じない。
【００２４】
《実施の形態２》
図３は、本発明の実施の形態２における液晶ディスプレイドライバ制御装置及びその制御方法を示す。図３では、図１中の入力映像信号処理部１０１が内部映像信号発生部２０１に置き換えられている。内部映像信号発生部２０１は、入力映像信号ＩＮ２が入力映像信号処理部１０２に入力されない場合を想定してフリーラン動作を行い、第１の水平同期信号Ｈ１及び第１の垂直同期信号Ｖ１を出力する一方、内部生成されたテスト映像データＴ１を出力するものである。切り替えタイミング生成部１０３ａは、切り替え指示信号ＣＨ及び第２の垂直同期信号Ｖ２を元に、出力切り替え信号ＳＷを生成する一方、第１のドライバ制御信号生成部１０４へのコマンド強制変更信号Ｃ１を生成・出力する。第２のドライバ制御信号生成部１０５ａは、コマンド強制変更信号を受け取らず、常に定常動作を行う点で、第１のドライバ制御信号生成部１０４と異なっている。
【００２５】
入力映像信号ＩＮ２の供給が開始すると、切り替えタイミング生成部１０３ａに入力される切り替え指示信号ＣＨは、テスト映像データＴ１の選択状態から入力映像データＰ２の選択状態への切り替えを要求する。このとき、実施の形態１の場合と同様に、コマンド強制変更信号Ｃ１が有効となった次の第１の水平同期信号Ｈ１からゲートドライバ１０９に対しては通常コマンドではなく、強制的に内部のシフトデータを消去するシフトレジスタクリアコマンドに変更して発行されるため、ゲートドライバ１０９の全出力はオフとなることで画面の途中からは表示画面の更新が行われなくなり、第２の垂直同期信号Ｖ２が入力されるまでは、内部映像信号発生部２０１のテスト映像データＴ１が表示されることになる。
【００２６】
以上のようなゲートコマンドを強制的に変更する構成により、テスト映像データ表示から入力映像データ表示に切り替えた場合に不連続性を軽減させることができ、また、従来のような黒データを挿入する構成ではないため、入力映像信号をすぐ視聴することができ、ブラックアウトして見えなくなる期間が長くなるという問題も生じない。
【産業上の利用可能性】
【００２７】
以上説明してきたとおり、本発明に係る液晶ディスプレイドライバ制御装置及びその制御方法は、テレビ放送のチャンネル切り替えのような異なる同期信号で生成される２種類以上の映像信号を切り替えて液晶ディスプレイパネルに表示する場合に、切り替わり時の映像の見え方として違和感が軽減されるので、液晶表示装置に適用して有用である。
【符号の説明】
【００２８】
１０１，１０２  入力映像信号処理部
１０３，１０３ａ  切り替えタイミング生成部
１０４，１０５，１０５ａ  ドライバ制御信号生成部
１０６  信号選択処理部
１０７  ドライバ制御信号選択部
１０８  ソースドライバ
１０９  ゲートドライバ
１１０  液晶ディスプレイパネル
２０１  内部映像信号発生部
【図１】
2011002721.tif 000003
【図２】
2011002721.tif 000004
【図３】
2011002721.tif 000005